(57)【要約】【課題】保護カバーがレンズ鏡枠に当接して擦れるのを防止でき、レンズ鏡枠への傷を防止及び動作異常の発生を防止するカメラを提供する。【解決手段】撮影レンズを覆う位置と露呈させる位置とに摺動して移動可能である保護カバーを有するカメラにおいて、上記保護カバーが撮影レンズを覆う位置にあるときカメラ本体部内に収納されて上記保護カバーに覆われていて、上記保護カバーが上記撮影レンズを覆う位置から露呈させる位置へ移動するのに応答して、露呈されるカメラ本体部から突出するフラッシュを有する。【選択図】図１
2005099854.tif 000002
【特許請求の範囲】
【請求項１】
撮影レンズを覆う位置と露呈させる位置とに摺動して移動可能である保護カバーを有するカメラにおいて、
上記保護カバーが撮影レンズを覆う位置にあるときカメラ本体部内に収納されて上記保護カバーに覆われていて、上記保護カバーが上記撮影レンズを覆う位置から露呈させる位置へ移動するのに応答して、露呈されるカメラ本体部から突出するフラッシュを有することを特徴とするカメラ。
【請求項２】
撮影レンズを露呈する位置から覆う位置へ上記保護カバーを移動させようとした際に、上記保護カバーは突出している上記フラッシュにより撮影レンズを覆う位置への移動を阻止されることを特徴とする請求項１に記載のカメラ。
【請求項３】
突出している上記フラッシュを収納させることにより、上記保護カバーは撮影レンズを露呈する位置から覆う位置への移動が許容されることを特徴とする請求項２に記載のカメラ。
【請求項４】
撮影レンズを保持していて光軸方向に沿って撮影可能な突出位置と撮影不能な沈胴位置とに移動可能なレンズ鏡枠と、撮影レンズを覆う非撮影位置と露呈させる撮影位置とに摺動して移動可能である保護カバーとを有するカメラにおいて、
上記保護カバーが撮影レンズを覆う非撮影位置にあるときカメラ本体内部に収納され上記保護カバーに覆われた状態にあり、上記保護カバーが非撮影位置から撮影位置へ移動するのに応答して上記カメラ本体部から突出した状態になる収納／突出移動可能なフラッシュを具備し、
上記フラッシュが突出状態にあるときに上記保護カバーを撮影位置から非撮影位置へ移動させようとした際に、上記保護カバーはレンズ鏡枠に当接する前に係止されることを特徴とするカメラ。
【発明の詳細な説明】
【技術分野】
【０００１】
本発明は撮影レンズ等を撮影時には開状態に、非撮影時には閉状態にする摺動自在の保護カバーを備えたカメラに関する。
【背景技術】
【０００２】
従来、カメラの３面以上を覆う保護カバーを有し、保護カバーにより覆われる各面において、フィルムの給送方向に直交する方向に全面覆われることはなく、保護カバーに覆われている面において露呈する部分があるカメラと、保護カバーの開閉とは関わりのない部分において、フラッシュが突出するカメラは既に提案がなされている。
【発明の開示】
【発明が解決しようとする課題】
【０００３】
従来例では保護カバーを閉じた状態でもモード切換スイッチやモード表示部材等が露呈してしまい、未使用時にカバン等に収納している時にモード切換スイッチやモード表示部材等を傷つけてしまったり、誤作動してしまうこと等の欠点がある。
【０００４】
また、保護カバー開閉時にレールの無い部分を押してしまい外装部に傷がついてしまったり、撮影終了時、保護カバーが撮影レンズ鏡枠部に当たってしまい、鏡枠の沈胴に負荷がかかってしまったりしていた。
【０００５】
本発明は上述した点に鑑みてなされたもので、カメラ本体面を覆うように摺動移動可能な保護カバーを有し、モード切換スイッチやモード表示部材、外装等が傷つくことを防止したり、誤作動を防止することができる操作性の良いカメラを提供することを目的とする。
【課題を解決するための手段】
【０００６】
本発明の第１のカメラは、撮影レンズを覆う位置と露呈させる位置とに摺動して移動可能である保護カバーを有するカメラにおいて、上記保護カバーが撮影レンズを覆う位置にあるときカメラ本体部内に収納されて上記保護カバーに覆われていて、上記保護カバーが上記撮影レンズを覆う位置から露呈させる位置へ移動するのに応答して、露呈されるカメラ本体部から突出するフラッシュを有することを特徴とする。
【０００７】
本発明の第２のカメラは、上記第１のカメラにおいて、撮影レンズを露呈する位置から覆う位置へ上記保護カバーを移動させようとした際に、上記保護カバーは突出している上記フラッシュにより撮影レンズを覆う位置への移動を阻止されることを特徴とする。
【０００８】
本発明の第３のカメラは、上記第２のカメラにおいて、突出している上記フラッシュを収納させることにより、上記保護カバーは撮影レンズを露呈する位置から覆う位置への移動が許容されることを特徴とする。
【０００９】
本発明の第４のカメラは、撮影レンズを保持していて光軸方向に沿って撮影可能な突出位置と撮影不能な沈胴位置とに移動可能なレンズ鏡枠と、撮影レンズを覆う非撮影位置と露呈させる撮影位置とに摺動して移動可能である保護カバーとを有するカメラにおいて、上記保護カバーが撮影レンズを覆う非撮影位置にあるときカメラ本体内部に収納され上記保護カバーに覆われた状態にあり、上記保護カバーが非撮影位置から撮影位置へ移動するのに応答して上記カメラ本体部から突出した状態になる収納／突出移動可能なフラッシュを具備し、上記フラッシュが突出状態にあるときに上記保護カバーを撮影位置から非撮影位置へ移動させようとした際に、上記保護カバーはレンズ鏡枠に当接する前に係止されることを特徴とする。
【発明の効果】
【００１０】
本発明によれば、保護カバーの開閉位置に応じて撮影時使用部材及び撮影時未使用部材とをその必要時にのみ露呈させることにより誤操作・誤作動を防止でき、使用部材や外装を傷つけることを防止できる。また、非撮影時に保護カバーにより覆われているフラッシュが保護カバーの開動作に応答して開口される本体露呈部から突出し、撮影後に保護カバーを閉位置へ移動する際にフラッシュが突出状態にあることにより係止されるので、保護カバーがレンズ鏡枠に当接して擦れるのを防止でき、レンズ鏡枠への傷を防止及び動作異常の発生を防止できる。
【発明を実施するための最良の形態】
【００１１】
以下、図面を参照して本発明の実施の形態を説明する。
【００１２】
図１ないし図７は本発明の１実施の形態に係り、図１は撮影時における１実施の形態のカメラを左斜め前方の上方から見た斜視図、図２は撮影時における１実施の形態のカメラを左斜め後方の上方から見た斜視図、図３は非撮影時における１実施の形態のカメラを左斜め前方の上方から見た斜視図、図４は非撮影時における１実施の形態のカメラを左斜め後方の上方から見た斜視図、図５は画面サイズ切換スイッチの構造を示す図、図６は撮影を行う際の保護カバーの動きと、各スイッチのＯＮ，ＯＦＦ状態を示す動作説明図、図７はフラッシュの突没機構を示す概略構成図である。
【００１３】
本発明の１実施の形態のカメラ１は図１に示すように、このカメラ１を形成する略直方体形状のカメラ本体２の前面の中央部に撮影を行う撮影レンズ３が取り付けられた円筒形状のレンズ鏡枠４が突没自在に設けられ、このカメラ本体２の前面、上面及び背面の３面を覆い、撮影レンズ３を覆う位置及び露呈する位置に摺動自在の保護カバー５が設けられている。
【００１４】
つまり、左右方向が長手軸となるように左右方向に長くしたほぼ直方体形状のカメラ本体２は左右方向にほぼ３等分したその中央部の（底面を除く）３面が保護カバー５で覆われたり、露呈される露呈面部或いは保護カバー開口面部となり、この露呈面部は略長方形状の板をＵ字形状に折り曲げて３面を有する保護カバー５の移動により開閉されるようにしている。
【００１５】
つまり、この保護カバー５は撮影を行わない非撮影時は図３及び図４に示すように露呈面部を覆う閉状態となり、この状態から保護カバー５を左側のサイドカバー８に当たるまで左側に摺動することにより、露呈面部は露呈する開状態となり、この開状態に設定する操作に連動して、カメラ本体２に内蔵されている主電源をＯＮにし、さらに開状態に設定されたことを保護カバー５の位置検知手段（具体的には保護カバー位置検知スイッチ部１５）により検知し、図１及び図２に示すようにフラッシュ６の突出と、撮影レンズ３のレンズ鏡枠４の突出とを行い、撮影可能な撮影時の状態に設定できるようにしている（なお、左等の表現はカメラ１を通常の撮影時の状態に設定したものを基準にして述べる）。
【００１６】
また、この状態から保護カバー５を右側に移動する操作を行うことにより、フラッシュ６を収納する機構、撮影レンズ３のレンズ鏡枠４を収納する機構の動作が連動し、さらに主電源をＯＦＦにして図３及び図４に示すような非撮影時の状態に設定できるようにしている。
【００１７】
また、露呈面部、例えば図２に示す中央部の背面には撮影時に（頻度が高い状態等で）使用されるモード切換スイッチ１６、モード表示部材１７、画面サイズ切換スイッチ１８等の撮影時使用部材を配置して、撮影時にのみ撮影時使用部材を露出し、非撮影時には保護カバー５で覆われるようにして、傷が付くのを防止したり、誤作動、誤設定するのを防止するようにしている。
【００１８】
また、撮影時に保護カバー５が待避することにより覆われるカメラ本体２の（中央部の左側に隣接する）左部、例えば図４に示す左部の背面には、電池室２７、フィルム巻き戻しスイッチ２６等の撮影時に使用することを避けるべき撮影時未使用部材を配置して、図２に示すように撮影時には保護カバー５で覆われ、誤操作等することを解消している。
【００１９】
以下、図面を参照してより具体的に説明する。  
図１に示すようにカメラ本体２の露呈面部における前面の高さ方向及び左右方向の中央部に配置されたレンズ鏡枠４は撮影時には図１に示すようにカメラ本体２から突出するように、カメラ本体２内部のモータ等で繰り出され、非撮影時にはカメラ本体２のレンズ鏡枠収納部内に没するように収納され、つまり沈胴し、図３に示すように保護カバー５で覆われる。
【００２０】
カメラ本体２の露呈面部の上面中央位置には、夜間でのフラッシュ撮影とか補助の照明等でフラッシュ発光するフラッシュ６が設けられ、このフラッシュ６は図１に示すように保護カバー５が撮影レンズ３を露呈させる位置にある撮影時、カメラ本体２の上面の上側に突出し、撮影レンズ３で撮影する被写体側をフラッシュ照明できるようにしている。
【００２１】
このフラッシュ６は保護カバー５が撮影レンズ３を露呈する左側位置から、中央位置へ移動する時に、撮影レンズ３のレンズ鏡枠４に当たるよりも前にフラッシュ６に当て付き、撮影レンズ３のレンズ鏡枠４が沈胴する（簡単に撮影レンズ３が沈胴するとも記す）際に、保護カバー５によりレンズ鏡枠４が擦られない構造にしている。
【００２２】
つまり、フラッシュ６における左エッジ或いは左側面の位置はレンズ鏡枠４の側周面における最も左側となる位置より左側に位置しており、保護カバー５を撮影状態から非撮影状態に設定するために保護カバー５を右側に移動する際に、少なくともレンズ鏡枠４に当たる前にフラッシュ６に当たる（係止される）ようにしている。
【００２３】
尚、（保護カバー５を高速で移動させるような場合を除く）通常の使用ではフラッシュ６に保護カバー６が当て付く前に、保護カバー位置検知スイッチ１５の検知により、フラッシュ６はカメラ本体２の上面の凹部内に収納されるようにしている。
【００２４】
図７はフラッシュ６を突出及び収納する際の機構を示す。カメラ本体２の中央部の上面の下側の内部には、フラッシュ６を突没させるための動力源であるモータ３１が収納され、その回転軸がギヤ等を含む動力伝達部３２の一端と係合し、モータ３１の回転は動力伝達部３２により他端に伝達される。この動力伝達部３２の他端はカム溝が設けられたカムネジ３３の端部に固着されたギヤ３４と係合し、このギヤ３４が回転駆動される。このカムネジ３３に設けたカム溝にはカムナット３５が螺合して、カムネジ３３の軸方向に移動自在に取り付けられ、回転運動を直進運動に変換する。
【００２５】
カメラ本体２の上面付近にはトーションバネ３６が配置され、このトーションバネ３６の一端がフラッシュ６に接続され、他端がカムナット３５により可動自在に保持され、フラッシュ６はこのトーションバネ３６の弾性力により、上面上側に突出するように付勢されている。
【００２６】
そして、後述するように保護カバー５の移動により撮影時から非撮影時に移行する際（保護カバー５で露呈面部を覆う動作時）には、保護カバー位置検知スイッチ部１５がＯＮし、このＯＮによりモータ３１が回転してカムナット３５が図７で右側に移動されることにより、フラッシュ６は上面の凹部３７に収納される、或いは押し込まれる。
【００２７】
この凹部３７には、マイクロスイッチ等のスイッチ３８が設けられ、このスイッチ３８はフラッシュ６が凹部３７内に押し込まれた際に押圧されて収納状態を検知（後述の説明ではスイッチ３８はＯＦＦ）、さらに撮影レンズ３のレンズ鏡枠４を収納するように図示しないモータを駆動し、レンズ鏡枠４の沈胴を開始する。
【００２８】
一方、フラッシュ６の収納状態において、保護カバー５を移動して撮影状態に設定する際に、保護カバー位置検知スイッチ部１５により開状態を検知して、このスイッチ部１５がＯＮし、モータ３１を回転させてカムナット３５を左側に移動し図７に示すようにフラッシュ６が突出する状態に設定することになる。後述するようにフラッシュ６が突出する状態に設定されると、スイッチ３８がＯＮし、さらにレンズ鏡枠４を突出させて図１に示すような撮影時の状態になる。
【００２９】
図１に示すようにカメラ本体２の右部の上面にはレリーズボタン７が設けられ、また、左部の側面にはサイドカバー８が前面、上面及び背面に僅かに突出するように（より具体的には保護カバー５の厚み分突出するように）設けられている。このサイドカバー８はネジ等でカメラ本体２に固定されており、このネジを緩めて取り外すことによりサイドカバ−８も取り外すことができる。
【００３０】
また、カメラ本体２の３面には保護カバー５が摺動するガイドとなり、カメラ本体２の各面に対し円滑に摺動できるガイド部材として、各面に少なくとも１個以上、具体例としては、摺動用レール９、１０、１１、１２、１３が設けられている。
【００３１】
つまり、前面の下端付近には摺動用レール９、上面の後端のエッジ付近には摺動用レール１０、背面の下端付近には摺動用レール１１、さらに前面の左側の部分の（高さの）中央付近には摺動用レール１２、背面の高さの中央付近には摺動用レール１３がそれぞれ水平方向に設けてあり、保護カバー５における対応する位置には各レールの溝等に嵌合する凸形状等になっている。
【００３２】
摺動用レール１２及び１３を設けることにより、保護カバー５を移動する際に保護カバー５が押されて、保護カバー５の裏面（カメラ本体２側の内面）と、カメラ本体２の前面及び背面とが擦れて移動しにくくなるのを解消して、スムーズに摺動できるようにしている。
【００３３】
また、保護カバー５の正面及び背面の高さの中央部で左エッジ付近には、保護カバー５を移動し易くするための縦溝による凹凸等による指かかり部５ｃがそれぞれ設けられており、滑ってしまうことなく、移動操作を容易に行えるようにしている。  
また、摺動用レール１２及び１３と同高さ位置に設けられていることにより、使用者が摺動用レール１２及び１３の高さ位置以外にて移動操作を行なうことをも防いでいる。
【００３４】
なお、上記サイドカバー８を取り外すことにより、カメラ本体２から保護カバー５を容易に着脱自在とする着脱機構を形成し、カメラ本体２の内部等の調整等を容易に行うことができるようにしている。
【００３５】
図３に示すように前面下部側に設けた摺動用レール９上には、主電源のＯＮ，ＯＦＦを行う主電源スイッチ部１４と、保護カバー５の位置を検知する保護カバー位置検知スイッチ部１５が設けられている。保護カバー位置検知スイッチ部１５は保護カバー５を開ける際にはフラッシュ６の突出を開始し、閉じる際にはフラッシュ６の格納を開始するスイッチである。
【００３６】
主電源スイッチ部１４は、例えばメカニカルスイッチとしてのマイクロスイッチで形成され、図３に示すように露呈面部を保護カバー５で覆った閉状態では保護カバー５の裏面により（マイクロスイッチの）可動接点が（可動接点を付勢する付勢バネに抗して）押圧されて、主電源スイッチ部１４はＯＦＦ状態であり、この状態から僅かに保護カバー５を左側に移動する際に、可動接点が保護カバー５で押圧されなくなることにより、上記付勢バネにより移動してＯＮ状態となるようにしている。主電源がＯＮすることにより、カメラ本体２の内部に設けられた図示しない主制御部が動作状態となる。なお、日付等はサブ制御部により、主電源がＯＦＦの場合でも常時動作する状態を維持する。
【００３７】
また、保護カバー位置検知スイッチ部１５も同様にマイクロスイッチ等で構成することができる。この保護カバー位置検知スイッチ部１５は図３の閉状態から保護カバー５を開状態側に移動した際、保護カバー５の左エッジがサイドカバー８に当たる位置まで移動された状態の時、保護カバー５の裏面での押圧が解除されてＯＮとなるように設定されている。
【００３８】
この保護カバー位置検知スイッチ部１５のＯＮ状態は主制御部に伝えられ、主制御部はモータ３１に駆動信号を供給してフラッシュ６を突出させる。また、フラッシュ６が突出状態に設定されると、その状態はスイッチ３８で検知されてＯＮとなり、このＯＮが伝えられると主制御部は引き続いてレンズ鏡枠４を突出させるモータを駆動し、図１に示すように撮影可能な状態に設定する。
【００３９】
そして、撮影終了後、非撮影状態に設定するために保護カバー５を右側に僅かに移動した際に、保護カバー５で押圧されて保護カバー位置検知スイッチ部１５は（ＯＮから）ＯＦＦとなり、このＯＦＦの信号は主制御部に伝えられ、主制御部は、モータ３１に逆回転させる駆動信号（例えば逆極性のＤＣ駆動電圧）を供給し、フラッシュ６を収納状態にする。
【００４０】
つまり、保護カバー５の右エッジがフラッシュ６の左側面に当たる前に、保護カバー位置検知スイッチ部１５は保護カバーの閉状態への移動を検知する。そして、さらに保護カバー５を右側に移動した際にフラッシュ６の側面に相当する位置を通過するようにしている。
【００４１】
また、フラッシュ６を収納状態に設定した際、この収納状態をスイッチ３８が検知してＯＦＦになると、主制御部は引き続いてレンズ鏡枠４を収納させるように制御する。
【００４２】
図２に示すように撮影時に保護カバー５から露呈するカメラ本体の中央部の背面には、その右寄りの位置にモード切換を行うモード切換スイッチ１６が設けられ、このモード切換スイッチ１６の左側の中央部付近にモード表示部材１７、その下側に画面サイズの切換を行う画面サイズ切換スイッチ１８が設けられている。また、モード表示部材１７の上にファインダ１９が設けられている。
【００４３】
上記モード切換スイッチ１６は例えば撮影状態のモードを切り換えるスイッチと、フラッシュ６のモードを切り換えるスイッチと、日付表示のモードを切り換えるスイッチとで構成されている。そして、これら設定されたモードはＬＣＤ等で形成されたモード表示部材１７に表示される。
【００４４】
画面サイズ切換スイッチ１８は、例えば基準画面サイズの他に２つの画面サイズに設定できるものであり、図５（Ａ）は画面サイズ位置Ｐａにある状態から保護カバー５の動きに連動し、基準画面サイズ位置Ｐｋへ移動する際の機構及び作用を背面側から見た図で示し、図５（Ｂ）は画面サイズ位置Ｐｂにある状態から基準画面サイズ位置Ｐｋへ移動する際の機構及び作用を示している。
【００４５】
カメラ本体２の背面の中央部に設けた摺動用レール１３の下側には画面サイズ切換スイッチ１８を形成するスイッチ本体２０が収納され、このスイッチ本体２０の中央位置に、カメラ本体２の背面の水平方向に設けた長溝２１内に画面サイズ位置設定を行うためのピン２２が露出するように突設されている。
【００４６】
このスイッチ本体２０の上端側及び下端にもそれぞれピン２３ａ，２３ｂが、例えばピン２２と反対側に突設されている。また、スイッチ本体２０に隣接して、下端の位置を支点として回動自在の連動部材２４ａと中央付近を支点として回動自在の連動部材２４ｂとがカメラ本体２内に配置されている。
【００４７】
また、背面側の保護カバー５の裏面には、対向する摺動用レール１３からカメラ本体２内部側へ突出するように押動ピン５ａが設けられており、この押動ピン５ａは保護カバー５を閉じる際、画面サイズ切換スイッチ１８のピン２２が位置Ｐａ又はＰｂにある時、連動部材２４ａ又は２４ｂを押圧、回動させ画面サイズ切換スイッチ１８のスイッチ本体２２に設けられたピン２３ａ又は２３ｂを押圧し、位置Ｐａ又はＰｂから基準画面サイズ位置Ｐｋに押して移動、つまり押動するように設けられている。
【００４８】
また、図５（Ｃ）に示すように連動部材２４ａは回動する際にピン２３ｂに当たらぬように折れ曲がった形状をしており、同様に連動部材２４ｂも回動する際にピン２３ａに当たらぬように折れ曲がった形状をしている。
【００４９】
図４に示すように非撮影時に、保護カバー５により覆われていないカメラ本体２の左部の背面には撮影時未使用部材として、フィルム巻き戻しを行うフィルム巻き戻しスイッチ２６が設けられ、また、この上部側の位置には主電源となる電池を収納する電池室２７が設けられ、この電池室２７は電池室蓋２８で閉塞されている。
【００５０】
次に本実施の形態の作用を説明する。  
上述のカメラ１において、図３、４の非撮影時の状態から図１、２の撮影時、そして再び非撮影時の状態への動作の説明を行う。
【００５１】
保護カバー５を撮影レンズ３が露呈する位置まで移動するが、この時、指かかり部５ｃを押さえ、レール上を側面に設けられたサイドカバー８に当たるまで、摺動移動する。このサイドカバー８はまた、保護カバー５が抜けるのを防止する役割も持つ。
【００５２】
上記摺動移動により、まず主電源スイッチ部１４により主電源がＯＮし、開状態で保護カバー位置検知スイッチ部１５がＯＮすることになる。閉状態では保護カバー５で覆われていなかったフィルム巻き戻しスイッチ２６、電池室２７が、この開状態では保護カバー５で覆われ、一方、閉状態では保護カバー５で覆われていたモード切換スイッチ１６、モード表示部材１７、画面サイズ切換スイッチ１８が開状態では露呈する状態となる。
【００５３】
保護カバー５が移動し、保護カバー位置検知スイッチ部１５がＯＮすることにより、フラッシュ６が突出され、スイッチ３８がフラッシュ６の突出を検知し、撮影レンズ３のレンズ鏡枠４が繰り出され、撮影が可能な撮影状態となる。
【００５４】
このレンズ鏡枠４の繰り出し動作時は、図７に示すモータ３１の動力が動力伝達部３２によってカムネジ３３に伝達され、カムネジ３３が回転する。
【００５５】
そして、カムネジ３３に設けられたカム溝によりカムナット３５がカムネジ３３の軸方向に直進運動し、フラッシュ６をカメラ本体２から突出する方向にトーションバネ３６が回動させられ、フラッシュ６がカメラ本体２より突出する状態となる。
【００５６】
次に、撮影者が画面サイズ切換スイッチ１８を操作することにより画面サイズを、また、撮影状態、フラッシュ６のモード、日付（デート）を選択し、モード表示部材１７でその設定されたモードの表示を確認する。そして、レリーズボタン７の操作により撮影を行うことができる。
【００５７】
ここまでの経過を図６（Ａ）〜（Ｉ）を参照して説明する。なお、図６では簡単化のため、部材を示す番号は１回のみ示している。まず、保護カバー５が閉じている状態の時はスイッチ３８、主電源スイッチ部１４、保護カバー位置検知スイッチ部１５が共にＯＦＦになっている（図６（Ａ）の状態）。
【００５８】
次に、保護カバー５を開けていくと、僅かの移動で主電源スイッチ部１４がＯＮとなり（図６（Ｂ）の状態）、続いて保護カバー５がサイドカバー８に当たる位置で、保護カバー位置検知スイッチ部１５がＯＮとなる（図６（Ｃ）の状態）。
【００５９】
主電源スイッチ部１４と保護カバー位置検知スイッチ部１５とが共にＯＮとなると、主制御部の制御によりフラッシュ６が突出し、スイッチ３８がＯＮとなる（図６（Ｄ）の状態）。このように３つのスイッチがＯＮとなると、さらに撮影レンズ３が繰り出される（図６（Ｅ）の状態）。
【００６０】
撮影終了後、まず保護カバー５を保護カバー位置検知スイッチ部１５がＯＦＦとなる位置まで移動する（図６（Ｇ）の状態）。この状態で、クリック機構により一旦停止されるが、保護カバー５を移動し過ぎてしまった場合でも、撮影レンズ３のレンズ鏡枠４に当たる前にフラッシュ６に当て付く。
【００６１】
次にフラッシュ６が図７において、カムネジ３３、カムナット３５がフラッシュ６を突出する時とは逆方向に移動し、カメラ本体２内に格納され（図６（Ｈ）の状態）、スイッチ３８がＯＦＦとなることにより、撮影レンズ３のレンズ鏡枠４が沈胴される（図６（Ｉ）の状態）。
【００６２】
この時、保護カバー位置検知スイッチ部１５により保護カバー５が閉じる位置にあることを検知し（保護カバー位置検知スイッチ部１５がＯＦＦ）、スイッチ３８によりフラッシュ６が格納されるのを確認し（スイッチ３８がＯＦＦ）、撮影レンズ３のレンズ鏡枠４の沈胴が始まる。
【００６３】
そして、撮影レンズ３及びフラッシュ６が沈胴、収納された状態で保護カバー５を閉じることができ、この時、主電源がＯＦＦになる。
【００６４】
なお、撮影時にフラッシュ６を無理矢理にカメラ本体２に押し込んで、図６（Ｆ）のようにスイッチ３８をＯＦＦにしても、保護カバー位置検知スイッチ部１５がＯＮのため、沈胴は始まらない。
【００６５】
保護カバー５を閉方向に移動する際に、画面サイズ切換スイッチ１８が基準画面サイズ位置Ｐｋに復帰する。例えば、図５（Ａ）に示すように画面サイズ切換スイッチ１８のピン２２が位置Ｐａにある時、押動ピン５ａにより連動部材２４ａを押圧、回動し、連動部材２４ａがピン５ａを押動し、保護カバー５が閉じた状態になる時には、画面サイズ切換スイッチ１８のピン２２が基準画面サイズ位置Ｐｋまで移動させる。
【００６６】
また、図５（Ｂ）に示すように画面サイズ切換スイッチ１８のピン２２が位置Ｐｂにある時、保護カバー５を閉方向に移動すると、押動ピン５ａが連動部材２４ｂを押圧、回動し、連動部材２４ｂがピン１８ａを押動し、基準画面サイズ位置Ｐｋまで移動させる。
【００６７】
また、この状態の時、つまり非撮影時に、電池室２７及びフィルム巻き戻しスイッチ２６が露呈するので、電池室蓋２８をカメラ後方側に開き、カメラ後方より電池の交換を行うことができ、フィルムの巻き戻しもこの状態の時にフィルム巻き戻しスイッチ２６を操作することにより行うことができる。
【００６８】
カメラ生産中の調整時、若しくは修理を行う際にはサイドカバー８を（固定しているネジを緩めて）取り外すことにより、サイドカバー８による保護カバー５の抜け止めが無くなるので、保護カバー５を左側に移動することにより、この保護カバー５が容易に着脱可能となり、調整等を容易に行うことができる。
【００６９】
このように作用する本実施の形態は以下の効果を有する。
【００７０】
非撮影時にはカメラ本体２の中央部の露出面部を保護カバー５で覆うようにしているので、この露出面部の外装面や、この露出面部に配置されているモード切換スイッチ１６、モード表示部材１７等を傷つけず、長期間外観を損ねることなく、また、カバン等に収納しているときに、例えばモード切換スイッチ１６の設定が変更されてしまうような誤作動すること等を軽減することができる。
【００７１】
また、撮影時におけるフラッシュ６が突出する状態で、保護カバー５を素早く閉じたときに、保護カバー５が撮影レンズ３のレンズ鏡枠４に当たる前にフラッシュ６に当て付くため、撮影レンズ３が沈胴する際に保護カバー５と擦れることを防止でき、沈胴時の負荷が軽減され、かつ外観を損ねる傷を付けることを防止できる。
【００７２】
また、保護カバー５を閉じる時に画面サイズ切換スイッチ１８を基準位置へ押動することにより、次撮影時には使用頻度の高い基準サイズでの撮影をスイッチを切り換える操作を行うことなく行える。  
撮影時にフィルム巻き戻しスイッチ２６が保護カバー５で隠されるため、撮影中に誤って巻き戻しを行うことを防止できる。
【００７３】
主電源がＯＮの状態で電池の交換を行うと、誤作動してしまったり、記録されたデータが消失してしまったりという恐れがあるが、主電源ＯＦＦ時のみにしか電池交換ができないため、それらを防止することができる。  
また、サイドカバー８の取り外しにより容易に保護カバー５の着脱ができ、修理、調整等が簡単に行える。  
以上のように本実施の形態によれば、傷防止、誤作動防止を行なうことができ、かつ操作性の良いカメラ１を提供することができる。
【００７４】
なお、上述の実施の形態では、カメラ本体２の３面を覆う保護カバー５を用いているが、保護カバー５が１面であっても保護カバー５により覆われているカメラ本体２の１面にフラッシュ６やモード切換スイッチ１６やモード表示部材１７等を配置することもできる。しかし、保護カバー５を２面以上覆うようにすることによりフラッシュ６やモード切換スイッチ１６、モード表示部材１７等の配置の自由度が増す。このため、保護カバー５を２面以上にしたものも本発明に属する。
【００７５】
２面の場合の具体例としては、例えば撮影レンズ３を覆うことができるように前面と、フラッシュ６やモード切換スイッチ１６、モード表示部材１７等を配置した上面との２面を保護カバー５で覆うことができるようにしたもの等が挙げられる。 
また、機能を少なくして簡素化、或いは小型化、或いは低コスト化するようなカメラの場合には、例えばモード切換に関する機能を削除しても良い。
【００７６】
また、モード切換に関する機能を有する場合、つまりモード切換スイッチ１６やモード表示部材１７等を上面（或いは側面）等に配置すると、指で覆ってしまったり、操作しにくいといった問題が生じるような場合には、前面及び背面を含む少なくとも３面（例えば、前面、上面及び背面）を覆い、背面において撮影レンズ３の光軸高さ付近まで、保護カバー５が覆うことによって、操作し易い背面中央部付近にモード切換スイッチ１６やモード表示部材１７等の撮影時使用部材を配置して操作性を確保し、かつ使用しない場合には保護カバー５で覆うことができるようにしても良い。
【００７７】
また、上述の実施の形態では保護カバー５を開閉する操作に連動して、フラッシュ６が自動的に突没する構成にしているが、フラッシュ６の突没をマニュアルで行うものも本発明に属する。  
なお、上述した実施の形態における一部などを抽出して構成されるカメラも本発明に属する。
【００７８】
［付記］
１．撮影レンズを覆う位置と露呈させる位置とに摺動して移動可能で、カメラ本体の前面と背面を含む少なくとも３面を覆い、前面は撮影レンズを覆い、背面ではほぼ撮影レンズの光軸高さまで覆う保護カバーを有することを特徴とするカメラ。  
２．上記保護カバーにより覆われるカメラ本体各面に少なくとも１個設けられる摺動用レールを有することを特徴とする付記１記載のカメラ。
【００７９】
３．上記保護カバーを撮影レンズを覆う位置と露呈させる位置との間で移動する際に押され、擦れる部分に上記摺動用レールを設けることを特徴とした付記２記載のカメラ。  
４．上記保護カバーに設けられ、上記保護カバーが撮影レンズを覆う位置と露呈させる位置との間で移動する際に上記保護カバーを押す部分に指かかり部を有することを特徴とする付記２又は３記載のカメラ。
【００８０】
５．撮影レンズを覆う位置と露呈させる位置とに摺動して移動可能である保護カバーを有するカメラにおいて、
上記保護カバーが撮影レンズを覆う位置にあるときカメラ本体内部に有り、上記保護カバーが撮影レンズを露呈させる位置にあるとき、上記保護カバーの移動に連動して上記保護カバー開口部より突出するフラッシュを有することを特徴とするカメラ。
【００８１】
６．上記保護カバーが撮影レンズを露呈する位置から覆う位置へ移動させた際に、上記保護カバーが鏡枠に当たる前に上記フラッシュにより係止されることを特徴とする付記５記載のカメラ。  
７．上記フラッシュの突出がバネの付勢力によることを特徴とする付記５、又は６記載のカメラ。
【００８２】
８．上記フラッシュの突出がモータを用いた動力及びバネの付勢力によることを特徴とする付記５、又は６記載のカメラ。  
９．上記保護カバーがカメラ本体の少なくとも２面を覆うことを特徴とする付記５、又は６記載のカメラ。
【００８３】
１０．撮影レンズを覆う位置と露呈させる位置とに摺動して移動可能である保護カバーを有するカメラにおいて、
上記保護カバーが撮影レンズを覆う位置にあるとき上記保護カバーにより覆われ、上記保護カバーが撮影レンズを露呈する位置にあるとき露呈する位置に撮影時に使用頻度の高い撮影時使用部材が設けられることを特徴としたカメラ。
【００８４】
１１．上記撮影時使用部材はモード切換スイッチであることを特徴とする付記１０記載のカメラ。  
１２．上記モード切換スイッチは撮影状態のモードを切換えるスイッチであることを特徴とする付記１１記載のカメラ。  
１３．上記モード切換スイッチはフラッシュのモードを切り換えるスイッチであることを特徴とする付記１１記載のカメラ。
【００８５】
１４．上記モード切換スイッチは日付表示のモードを切り換えるスイッチであることを特徴とする付記１１記載のカメラ。  
１５．上記撮影時使用部材は撮影状態のモード、フラッシュのモード、デートのモードのいずれかを表示する表示部材であることを特徴とする付記１０記載のカメラ。  
１６．上記撮影時使用部材は、画面サイズ切換スイッチであることを特徴とする付記１０記載のカメラ。
【００８６】
１７．上記保護カバーを撮影レンズを露呈する位置から覆う位置へ移動する際に、上記画面サイズ切換スイッチを基準画面サイズ位置に押動する、上記保護カバーに設けられた押動部と、
上記保護カバーに連動する連動部材を有することを特徴とする付記１３記載のカメラ。
【００８７】
１８．上記保護カバーがカメラ本体の少なくとも２面を覆うことを特徴とした付記１０記載のカメラ。  
１９．撮影レンズを覆う位置と露呈させる位置とに摺動して移動可能である保護カバーを有するカメラにおいて、
上記保護カバーが撮影レンズを覆う位置にあるとき上記保護カバーにより露呈され、上記保護カバーが撮影レンズを露呈する位置にあるとき覆われる、撮影時に使用することを避けるべき撮影時未使用部材を設けることを特徴としたカメラ。  
２０．上記撮影時未使用部材はフィルムの巻き戻しを開始する巻き戻しスイッチであることを特徴とする付記１９記載のカメラ。
【００８８】
２１．上記撮影時未使用部材は電池室であることを特徴とする付記１９記載のカメラ。  
２２．上記保護カバーがカメラ本体の少なくとも２面を覆うことを特徴とした付記１９記載のカメラ。  
２３．撮影レンズを覆う位置と露呈させる位置とに摺動して移動可能である保護カバーを有するカメラにおいて、
調節時や修理を行う際に上記保護カバーが容易に着脱できる着脱機構を有することを特徴としたカメラ。
【図面の簡単な説明】
【００８９】
【図１】撮影時における本発明の１実施の形態のカメラを左斜め前方の上方から見た斜視図。
【図２】撮影時における１実施の形態のカメラを左斜め後方の上方から見た斜視図。
【図３】非撮影時における１実施の形態のカメラを左斜め前方の上方から見た斜視図。
【図４】非撮影時における１実施の形態のカメラを左斜め後方の上方から見た斜視図。
【図５】画面サイズ切換スイッチの構造を示す図。
【図６】撮影を行う際の保護カバーの動きと、各スイッチのＯＮ，ＯＦＦ状態を示す動作説明図。
【図７】フラッシュの突没機構を示す概略構成図。
【符号の説明】
【００９０】
１…カメラ
２…カメラ本体
３…撮影レンズ
４…レンズ鏡枠
５…保護カバー
５ｃ…指かかり部
６…フラッシュ
７…レリーズボタン
８…サイドカバー
９〜１３…摺動用レール
１４…主電源スイッチ部
１５…保護カバー位置検知スイッチ部
１６…モード切換スイッチ
１７…モード表示部材
１８…画面サイズ切換スイッチ
２３ａ，２３ｂ…ピン
２４ａ，２４ｂ…連動部材
２６…フィルム巻き戻しスイッチ
２７…電池室
２８…電池室蓋
３１…モータ
３２…動力伝達部
３３…カムネジ
３５…カムナット
３６…トーションバネ
３８…スイッチ
代理人    弁理士    伊藤  進
【図１】
2005099854.tif 000003
【図２】
2005099854.tif 000004
【図３】
2005099854.tif 000005
【図４】
2005099854.tif 000006
【図５】
2005099854.tif 000007
【図６】
2005099854.tif 000008
【図７】
2005099854.tif 000009